(57)【要約】【課題】  レール取卸しの際、ワイヤロープで牽引されるレール嵌合具の摺動による抵抗をなくし、騒音や火花の発生を防止して迅速円滑に作業できるようにしたワイヤロープレール取卸し装置を提供する。【解決手段】  レール３０の頭部３０１に外嵌するレール嵌合具１１と、前記レール嵌合具１１の上部に設けられた、ワイヤロープ４０を引掛けて索引できるようにしたワイヤロープ引掛具１２とを備えたワイヤロープレール取卸し装置において、前記レール嵌合具１１に１対の上ローラ２０１及び２０３、下ローラ２０２及び側面ローラ２０４を設けて、レール頭部３０１を滑走できるようにしたもの。【選択図】        図１
2012046323.tif 000002
【特許請求の範囲】
【請求項１】
レール３０の頭部３０１に外嵌するレール嵌合具１１と、前記レール嵌合具１１の上部に設けられた、ワイヤロープ４０を引掛けられるようにしたワイヤロープ引掛具１２とを備えたワイヤロープレール取卸し装置において、前記レール嵌合具１１に複数のローラ２００を設けて、レール頭部３０１を滑走できるようにしたことを特徴としたワイヤロープレール取卸し装置。
【請求項２】
前記レール嵌合具１１が、前記ローラ２００を、レール３０の頭部３０１の上面に接する上ローラ２０１及び２０３と、前記頭部３０１の下面３０２及び３０２に接する２対の下ローラ２０２とを設けていることを特徴とした請求項１記載のワイヤロープレール取卸し装置。
【請求項３】
前記レール嵌合具１１が、前記ローラ２００を、前記上ローラ２０１及び２０３と、前記下ローラ２０２と、レール３０の頭部３０１の左右両側面に接する２対の側面ローラ２０４とを設けていることを特徴とした請求項１記載のワイヤロープレール取卸し装置。
【請求項４】
前記上ローラ２０１が、前記レール嵌合具１１の前部の両側板１１４に、前記上ローラ２０１を取替可能にした上ローラ着脱装置を設けたことを特徴とした請求項１、２及び３記載のワイヤロープレール取卸し装置。
【請求項５】
前記上ローラ２０３が、前記レール嵌合具１１の後部の両側板１１４に、前記上ローラ２０３を取替可能にした上ローラ着脱装置を設けたしたことを特徴とした請求項１、２、３及び４記載のワイヤロープレール取卸し装置。
【発明の詳細な説明】
【技術分野】
【０００１】
本発明は、鉄道用長尺レール（長さ約２５ｍのレールを溶接してつないだ１本概ね１５０ｍ〜２００ｍのレール）を、１６〜２０本積載し、機関車で牽引されて、軌道上を低速（概ね５ｋ／ｈ以下）で走行するレール運搬車（通常、チキ車と呼ばれるもの）から連続して後方の軌道敷上にレールを取卸すために使用するワイヤロープレール取卸し装置に関する。
【背景技術】
【０００２】
従来のワイヤロープレール取卸し装置は、図９−１及び図９−２に示すように、長尺レール３１、３２をレール運搬車５０に積載中は、各レール３１、３２の各前後端にレール固定具２Ａが、ねじ２１Ａによりレール頭部３０１に嵌合されて着脱可能に固着されると共に、各レール３１、３２にレール嵌合具１１が嵌合されてワイヤロープ４０がそれぞれに掛けられている。  レール運搬車５０を走行させて、レール３１、３２を引き出しながら軌道敷７０に取卸す場合は、図１０−１乃至図１０−３に示すように、先行レール３１の先端に着脱可能に取り付けた先端金具３Ａに引き出し用ワイヤロープ４Ａの一方を掛け、他方を軌道上に固定したアンカ５Ａに掛け、運搬車５０を低速でα矢印方向へ走行して行けば、先行レール３１のレール嵌合具１１は、図１０−２に示すように、レール３１の後部に固着したレール固定具２Ａ（１）まで移動して係止すると共に、後行レール３２のレール嵌合具１１は、後行レール３２のレール面をβ矢印方向へ引っ張られて移動し、図９−２及び図１０−３に示すように、後行レール３２のレール嵌合具１１がレール固定具２Ａ（２）に係止すれば、先行レール３１の後端のレールキャップ６Ａ（１）のひさし部分６０Ａ（１）下面に後行レール３２の先端が当接し、両レール３１、３２上面の高低差がないようにして、ワイヤロープ４０により接続され、軌道敷７０に取卸される。  しかしながら、従来のレール嵌合具１１は、図１１に示すように、レール嵌合部分１１が、レール頭部３０１と僅かな間隙を隔てて外嵌しているため、レール嵌合具１１がレール面を摺動する際、金属接触であるためすべりが悪い、騒音が大きい、火花が出るなどの欠点があり、また、長尺レール取卸し作業が夜間作業のため、近隣から苦情が出ることが多かった。
【先行技術文献】
【特許文献】
【０００３】
【特許文献１】特開２００５−１５０８７号公報
【発明の概要】
【発明が解決しようとする課題】
【０００４】
本発明は、レール取卸しの際、ワイヤロープで牽引されるレール嵌合具の摺動による抵抗をなくし、騒音や火花の発生を防止させ、迅速円滑に作業できるようにしたワイヤロープレール取卸し装置を提供するものである。
また、本発明は、製作容易で、構造簡単なワイヤロープレール取卸し装置を提供するものである。
さらに、本発明は、摩耗による嵌合具の上ローラの取替を容易にしたワイヤロープレール取卸し装置を提供するものである。
【課題を解決するための手段】
【０００５】
本発明ワイヤロープレール取卸し装置は、上記課題を達成するため、図示するように、請求項１の発明は、レール３０の頭部３０１に外嵌するレール嵌合具１１と、前記レール嵌合具１１の上部に設けられた、ワイヤロープ４０を引掛けられるようにしたワイヤロープ引掛具１２とを備えたワイヤロープレール取卸し装置において、前記レール嵌合具１１に複数のローラ２００を設けて、レール頭部３０１を滑走できるようにしたものである。
本発明ワイヤロープレール取卸し装置は、上記課題を達成するため、図示するように、請求項２の発明は、請求項１の発明において、前記レール嵌合具１１が、前記ローラ２００を、レール３０の頭部３０１の上面に接する上ローラ２０１及び２０３と、前記頭部３０１の下面３０２及び３０２に接する２対の下ローラ２０２とを設けているものである。  本発明ワイヤロープレール取卸し装置は、上記課題を達成するため、図示するように、請求項３の発明は、請求項１の発明において、前記レール嵌合具１１が、前記ローラ２００を、前記上ローラ２０１及び２０３と、前記下ローラ２０２と、レール３０の頭部３０１の左右両側面に接する２対の側面ローラ２０４とを設けているものである。
本発明ワイヤロープレール取卸し装置は、上記課題を達成するため、図示するように、請求項４の発明は、請求項１、２及び３の発明において、前記上ローラ２０１が、前記レール嵌合具１１の前部の両側板１１４に、前記上ローラ２０１を取替可能にした上ローラ着脱装置を設けたものである。
本発明ワイヤロープレール取卸し装置は、上記課題を達成するため、図示するように、請求項５の発明は、請求項１、２、３及び４の発明において、  前記上ローラ２０３が、前記レール嵌合具１１の後部の両側板１１４に、前記上ローラ２０３を取替可能にした上ローラ着脱装置を設けたものである。
本発明において、ローラは、ＭＣナイロン等の自己潤滑性プラスチック製が好ましい。
また、本発明において、上ローラ着脱装置を設けたのは、上ローラは負荷が大きく、摩耗しやすいので上ローラの取替を容易にするためである。
【発明の効果】
【０００６】
本発明ワイヤロープレール取卸し装置は、ワイヤロープで牽引されるレール嵌合具がレール上をローラを介して滑走するので、騒音や火花などの発生がなく、また、ワイヤロープ牽引作業が迅速容易にできる。さらに、本発明ワイヤロープレール取卸し装置は、構造簡単で、安価に製作できる上に、消耗しやすい上ローラの取替が簡単にできる利点がある。
【図面の簡単な説明】
【０００７】
【図１】本発明実施例のレール嵌合具の正面を示す説明図である。
【図２】図１の平面を示す説明図である。
【図３】図１の右側面から見たレール嵌合具の胴後部を示す説明図である。
【図４】図１のＡ−Ａ線断面を示す説明図である。
【図５】図１のＢ−Ｂ線断面を示す説明図である。
【図６−１】図１の前部の上ローラの取付けを示す説明図である。
【図６−２】図６−１のＣ−Ｃ線断面を示す説明図である。
【図７−１】図１の後部の上ローラの取付けを示す説明図である。
【図７−２】図７−１のＤ−Ｄ線断面を示す説明図である。
【図８−１】図１の側面ローラの取付けを示す説明図である。
【図８−２】図８−１のＥ−Ｅ線断面を示す説明図である。
【図９−１】レール取卸しの時のワイヤロープによるレール接続の説明図である。
【図９−２】レール取卸しの時のワイヤロープによるレール接続の別の説明図である。
【図１０−１】レール取卸しの時のワイヤロープによるレール接続の上面から見た説明図である。
【図１０−２】レール取卸しの時のワイヤロープによるレール接続の別の上面から見た説明図である。
【図１０−３】レール取卸したときの上面から見た説明図である。
【図１１】従来例のレール嵌合具とレール固定具の説明図である
【発明を実施するための形態】
【０００８】
本発明を実施するための形態が、実施例１に示されている。
【実施例１】
【０００９】
本発明実施例１が図１乃至図１０―３に示されている。
本発明実施例のワイヤロープレール取卸し装置は、レール嵌合具１１とワイヤロープ引掛具１２とを備えている。
レール嵌合具１１は、レール３０の頭部３０１を外嵌する胴前部１１２と胴中央部１１１と胴後部１１３とこれらの上部の両側に立設された側板１１４、１１４とからなる。
胴前部１１２は、図１、図４、図６−１及び図６−２に示すように、下方に開放された断面コ字状で、レール３０の頭部３０１の上面に接して回転する１個の上ローラ２０１と、レール頭部３０１の下面３０２に接して回転する１対の下ローラ２０２が設けられている。  上ローラ２０１は、図６−１及び図６−２に示すように、前部の両側板１１４に、シャフト２０１１を挿入可能にして、上ローラ２０１を回転可能に嵌合し、シャフト２０１１は、溝２０１２１に止め板２０１２をはめ、固定ボルト２０１３で固定されている。  下ローラ２０２は、図４に示すように、前部の嵌合具１１の下部にシャフト２０２１を挿入可能にして、下ローラ２０２を回転可能に嵌合し、シャフト２０２１は、２重ロックナット２０２２で固定されている。
胴中央部１１１は、図１、図５、図８−１及び図８−２に示すように、下方に開放された断面コ字状で、レール３０の頭部３０１の両側面に接して回転する２対の側面ローラ２０４が設けられている。  各側面ローラ２０４は、シャフト２０４１に回転可能に軸支され、シャフト２０４１は、１対の六角穴付き止めネジ２０４２で固定されている。
胴後部１１３は、下方に開放された断面コ字状で、図１、図４、図７−１及び図７−２に示すように、レール３０の頭部３０１の上面に接して回転する１個の上ローラ２０３と、頭部３０１の下面３０２に接して回転する１対の下ローラ２０２が設けられている。  上ローラ２０３は、図７−１及び図７−２に示すように、後部の両側板１１４の間に着脱可能にした１対の固定板２０３２に、シャフト２０３１を挿入可能にして、上ローラ２０３を回転可能に嵌合し、固定板２０３２は、２対の固定ボルト２０３３で固定されている。  下ローラ２０２は、図４に示すように、後部の嵌合具１１の下部にシャフト２０２１を挿入可能にして、下ローラ２０２を回転可能に嵌合し、シャフト２０２１は、２重ロックナット２０２２で固定されている。
ワイヤロープ引掛具１２は、図１及び図２に示すように、逆Ｌ字状引掛け１２１及び１２３と抜け止め具１３とからなり、逆Ｌ字状引掛け１２１及び１２３は、断面逆Ｌ字状に形成され、レール嵌合具１１の胴前部１１２前面に連設されており、抜け止め具１３は、閉口板１３０１と回動軸１３１とウェイト１３２とからなり、閉口板１３０１は、逆Ｌ字状引掛け１２１の開口部１２２に出没するように形成され、ワイヤロープ４０が引掛け１２１及び１２３に引掛けられると、閉口板１３０１は回動軸１３１をはさんで下方に連設されたウェイト１３２を押し上げて回動され、ワイヤロープ４０の引掛けが終了すると、閉口板１３０１はウェイト１３２の自重により上部を側板上面１１５より突出し、開口部１２２を閉口することができるように形成されている。
従って、レール３０をレール運搬車５０から引き出しながら軌道敷７０に取卸す際は、図９−１乃至図９−２に示すように、レール運搬車５０に積載中の各レール３１、３２上の各前後端にレール固定具２Ａが、ねじ２１Ａによりレール頭部３０１に着脱可能に固着されると共に、各レール３１、３２にレール嵌合具１１が嵌合されて、ワイヤロープ４０がそれぞれに掛けられている。  レール３１、３２を引き出しながら取卸す場合は、図１０−１乃至図１０−３に示すように、先行レール３１の先端に着脱可能に取り付けた先端金具３Ａに引き出し用ワイヤロープ４Ａの一方を掛け、他方を軌道上に固定したアンカ５Ａに掛け、運搬車５０を低速でα矢印方向へ走行して行けば、先行レール３１のレール嵌合具１１は、図１０−２に示すように、レール３１の後部に固着したレール固定具２Ａ（１）まで移動して係止すると共に、後行レール３２のレール嵌合具１１は、後行レール３２のレール面をβ矢印方向へ引っ張られて滑走し、図９−２及び図１０−３に示すように、後行レール３２のレール嵌合具１１が固定具２Ａ（２）に係止すれば、先行レール３１の後端のレールキャップ６Ａ（１）のひさし部分６０Ａ（１）下面に後行レール３２の先端が当接し、両レール３１、３２上面の高低差がないようにして、ワイヤロープ４０により接続され、軌道敷７０に取卸すことができる。  レール取卸し後は、各ワイヤロープ引掛具１２の抜け止め具１３のウェイト１３２を可動軸１３１を介して上方へ回動させ、閉口板１３０１の上部を側板上面１１５より入没させて開口部１２２を開き、各ワイヤロープ４０を引掛具１２から外せばよい。
上ローラ２０１を取り替えるときは、図６−１及び図６−２に示すように、固定ボルト２０１３を外し、止め板２０１２を抜き、シャフト２０１１を軸方向にずらし、側板１１４から引き抜けば、容易に取り替えることができる。  上ローラ２０３を取り替えるときは、図７−１及び図７−２に示すように、固定ボルト２０３３を外し、１対の固定板２０３２を上方へ引き上げれば、上ローラ２０３とシャフト２０３１が両側板１１４から抜き出すことができ、容易に取り替えることができる。
【産業上の利用可能性】
【００１０】
本発明品は、構造簡単で、安価に量産できる。
【符号の説明】
【００１１】
１１                レール嵌合具
１１４              側板
１２                ワイヤロープ引掛具
２００              ローラ
２０１、２０３      上ローラ
２０２              下ローラ
２０４              側面ローラ
３０                レール
３０１              レール頭部
３０２              頭部の下面
４０                ワイヤロープ
【図１】
2012046323.tif 000003
【図２】
2012046323.tif 000004
【図３】
2012046323.tif 000005
【図４】
2012046323.tif 000006
【図５】
2012046323.tif 000007
【図６−１】
2012046323.tif 000008
【図６−２】
2012046323.tif 000009
【図７−１】
2012046323.tif 000010
【図７−２】
2012046323.tif 000011
【図８−１】
2012046323.tif 000012
【図８−２】
2012046323.tif 000013
【図９−１】
2012046323.tif 000014
【図９−２】
2012046323.tif 000015
【図１０−１】
2012046323.tif 000016
【図１０−２】
2012046323.tif 000017
【図１０−３】
2012046323.tif 000018
【図１１】
2012046323.tif 000019